(57)【要約】【課題】乗客が出口側から乗り込むことを防止できる乗客コンベアを得る。【解決手段】このエスカレーターは、乗客を移動させるエスカレーター本体１と、少なくとのエスカレーター本体１の出口側に設けられ乗客の逆進入を検知する進入センサ６ａ，６ｂと、少なくともエスカレーター本体１の出口側に設けられ乗客の逆進入を阻止するゲート４ａ，４ｂと、エスカレーター本体１の入口側および出口側に設けられ乗客の逆進入の状況に応じて、エスカレーター本体１の再起動、ゲート４ａ，４ｂの開放のタイミングを選択するためのテンキー１０を有するテンキー装置７ａ，７ｂと、進入センサ６ａ，６ｂからの信号によりエスカレーター本体１の停止、ゲート４ａ，４ｂの閉動作、およびテンキー装置７ａ，７ｂからの信号によりエスカレーター本体１の起動、ゲート４ａ，４ｂの開動作をさせる制御手段１２を備えている。【選択図】図１
2005200204.tif 000002
【特許請求の範囲】
【請求項１】
乗客を移動させる駆動本体と、
少なくとも前記駆動本体の出口側に設けられ乗客の逆進入を検知する進入センサと、
少なくとも前記駆動本体の出口側に設けられ乗客の逆進入を阻止するゲートと、
前記駆動本体の入口側および出口側に設けられ前記乗客の逆進入の状況に応じて、前記駆動本体の再起動、前記ゲートの開放のタイミングを選択するためのテンキーを有するテンキー装置と、
前記進入センサからの信号により前記駆動本体の停止、前記ゲートの閉動作、および前記テンキー装置からの信号により前記駆動本体の起動、前記ゲートの開動作をさせる制御手段と
を備えた乗客コンベア。
【請求項２】
前記テンキー装置は、前記駆動本体、前記ゲートについての情報を表す表示画面を備えている請求項１に記載の乗客コンベア。
【請求項３】
前記テンキー装置は、前記駆動本体、前記ゲートについての情報を音声出力するスピーカーを備えている請求項１または請求項２に記載の乗客コンベア。
【発明の詳細な説明】
【技術分野】
【０００１】
この発明は、少なくとも駆動本体の出口側に設けられ乗客の逆進入を阻止するゲートを備えた乗客コンベアに関するものである。
【背景技術】
【０００２】
従来、降口に検出部を設け、この検出部が乗客を検出したときに、利用できない旨の案内放送を行うスピーカーを備えた乗客コンベアが知られている（例えば、特許文献１参照）。このものの場合、降口から乗客が乗り込もうとしたときに、検出部が乗客を検知し、
その結果「こちらは降口です。乗り込むことができません」等の放送がスピーカーを通じて流れ、乗客に注意を促すようになっている。
【０００３】
【特許文献１】特開２０００−３０９４８３号公報（図１）
【発明の開示】
【発明が解決しようとする課題】
【０００４】
従来の乗客コンベアでは、耳の不自由な人等の乗客は、そのまま降口から乗客が乗り込む可能性があるという問題点があった。
【０００５】
この発明は、上記のような問題点を解決することを課題とするものであって、乗客が逆進入するのを防止でき、かつ駆動本体およびゲートを乗客が逆進入する前の通常の状態に簡単に復帰させることができる乗客コンベアを提供することを目的とする。
【課題を解決するための手段】
【０００６】
この発明に係る乗客コンベアは、乗客を移動させる駆動本体と、少なくとも前記駆動本体の出口側に設けられ乗客の逆進入を検知するセンサと、少なくとも前記駆動本体の出口側に設けられ乗客の逆進入を阻止するゲートと、前記駆動本体の入口側および出口側に設けられ前記乗客の逆進入の状況に応じて、前記駆動本体の再起動、前記ゲートの開放のタイミングを選択するためのテンキーを有するテンキー装置と、前記センサからの信号により前記駆動本体の停止、前記ゲートの閉動作、および前記テンキー装置からの信号により前記駆動本体の起動、前記ゲートの開動作をさせる制御手段とを備えたものである。
【発明の効果】
【０００７】
この発明に係る乗客コンベアでは、乗客が逆進入するのを防止でき、かつ駆動本体およびゲートを乗客が逆進入する前の通常の状態に簡単に復帰させることができる。
【発明を実施するための最良の形態】
【０００８】
以下、この発明の実施の形態について図に基づいて説明するが、同一または相当の部材、部位については同一符号を付して説明する。
実施の形態１．
図１はこの発明の実施の形態１のエスカレーターの概略側面図、図２は図１のＡ−Ａ線に沿って視たときの平面図である。
乗客コンベアであるこのエスカレーターでは、駆動本体であるエスカレーター本体１の下階口２および上階口３に、それぞれ乗客の逆侵入を防止するためのゲート４ａ、４ｂが設けられている。ゲート４a、４ｂの上方の天井５には、乗客の逆進入を検知する進入サ６a、６ｂがそれぞれ取り付けられている。また、エスカレーター本体１の両側の下階口２および上階口３の片側にはテンキー装置７ａ、７ｂが設置されている。
【０００９】
ゲート４ａ、４ｂは、図３、図４に示すように、ストッパ８が駆動機構（図示せず）の作動により９０度往復回動するようになっている。
テンキー装置７ａ、７ｂは、図５に示すように、エスカレーター本体１およびゲート４ａ、４ｂについての情報を示す表示画面９、乗客の逆進入の状況に応じてエスカレーター本体１の再起動、ゲート４の開放のタイミングを選択するためのテンキー１０、エスカレーター本体１、ゲート４についての情報を音声出力するスピーカー１１とを備えている。
【００１０】
図６はエスカレーターのブロック図であり、制御手段１２は、進入センサ６ａ、６ｂからの信号によりエスカレーター本体１の停止、ゲート４ａ、４ｂの閉動作をするようになっている。また、制御手段１２は、テンキー装置７a、７ｂからの信号によりエスカレーター本体１の起動、ゲート４ａ、４ｂの開動作をさせるようになっている。
【００１１】
次に、上記構成のエスカレーターの動作について説明する。
エスカレーター本体１の運転方向がＤＯＷＮ方向のときに、下階口２から乗客が逆進入しようとしたときに、進入センサ６ｂがそのことを検知し、その信号が制御手段１２に送られる。その信号を受けて制御手段１２からはゲート４ｂを閉動作させる信号が出され、ゲート４ｂのストッパ８が９０度回動して乗客の逆進入が阻止されるとともに、エスカレーター本体１の運転は停止される。
このとき、逆進入しようとした乗客は、テンキー装置７ｂの表示画面９に表示された「進入禁止です。」からも進入できないことを知ることができる。また、スピーカー１１からの「進入禁止です。」という音声からも進入できないことを知ることができる。
【００１２】
この状態のとき、乗客が上階口３からエスカレーター本体１に進入しようとしたとき、その乗客は、ゲート４ａは開いているので、ゲート４ａを通過してエスカレーター本体１の停止に気づく。なお、上階口３側のテンキー装置７ａの表示画面９には、「逆進入により停止中です。運転操作願います。」というメッセージが表示されている（図７参照）。
乗客は、このメッセージに気づき、表示画面９の内容を確認してから、現在の状況で最適な動きとなる操作番号のテンキー１０を選択し、乗客はその番号のテンキー１０を押す（図８参照）。
通常は、標準の運転動作をする「番号１」を押す。この番号１の押圧により、エスカレーター本体１のＤＯＷＮ方向の運転が開始され、その起動から所定時間経過後（例えば、５秒後）に、下階口２側のゲート４ｂが開放される。
その乗客は、そのまま、エスカレーター本体１に乗り込み、下階口２に向けて進行する。乗客は、下階口２に近づいたときには、ゲート４ｂは開放されており、そのままゲート４ｂを通過することができる（図９参照）。
なお、エスカレーター本体１をＤＯＷＮ方向に運転させてから、下階口２側のゲート４ｂは開放されるので、下階口２から逆進入しようとする乗客は、上から降りてくる乗客を見ることで逆進入に気が付くことになる。
【００１３】
また、乗客は、下階口２付近に誰もいないことを上階口３から視認することができた場合には、エスカレーター本体１の起動と同時にゲート４ｂを開放させても支障は無いので、エスカレーター本体１の起動と同時にゲート４ｂを開放させるという「番号２」のテンキー１０を押してもよい（図１０、図１１参照）。
【００１４】
なお、乗客は、下階口２付近に逆進入しようとする者を視認したときには、上記「番号１」を押すことで、その者がゲート４ｂを通過して逆進入を防止するようにしてもよい（図１２〜図１４参照）。
なお、テンキー装置７ｂは、ゲート４ｂのエスカレーター本体１側で乗客の手の届く範囲外に設置されているので、逆進入しようとした乗客はテンキー装置７ｂを操作することはできない。
【００１５】
また、乗客がゲート４を通ってエスカレーター本体１に乗り込んだ後、下階口２で逆進入しようとする乗客を進入センサ６ｂが検知した時には、ゲート４ｂは閉じられ、上階からの乗客は乗降中にエスカレーター本体１の運転が停止することになる。
この場合には、その乗客は、階段を自力で降りて行き、下階口２まで降りた後、下階口２側のテンキー装置７ｂのテンキー１０の「番号３」を押すことで、ゲート４ｂは開放され、かつ３秒後にエスカレーター本体１は再起動する（図１５〜図１７参照）。
なお、ゲート４ｂの開放と同時にエスカレーター本体１が再起動する「番号２」のテンキー１０を押してもよい。
【００１６】
なお、テンキー装置７ａ、７ｂの表示画面９の表示内容を図１８に示す。表示１〜表示５のそれぞれの表示は、制御手段１２からの信号により、動作されるようになっており、その動作により、その時の状況に合わせてそれぞれ必要とされる表示内容が表示画面９に表示される。
表示２、３、４は逆進入が発生した時点で両方のテンキー装置７ａ、７ｂのそれぞれの表示画面９に表示される。表示１は、逆進入発生側（出口側）のテンキー装置７ａ、７ｂの表示画面９のみに表示される。表示５は、逆進入発生でない側（入口側）のテンキー装置７ａ、７ｂの表示画面９のみに表示される。これらの表示は、エスカレーター本体１が起動された段階で表示画面９から消去される。
【００１７】
なお、このテンキー装置７a、７ｂのスピーカー１１から、図１９に示した音声が生じるようになっている。音声１、２は、制御手段１２からの信号により、動作されるようになっており、その動作により、その時の状況に合わせてそれぞれ必要とされる音声１、２がスピーカー１１から発せられる。
音声１は、逆進入が発生した側のテンキー装置７ａ、７ｂのスピーカー１１から発せられる。当音声は、一度発せられた後、例えば３秒間隔を空けてエスカレーター本体１の運転が再起動されるまで何度も繰り返し発せられる。音声２は、逆進入発生でない側のテンキー装置７ａのスピーカー１１から発せられる。当音声は、一度発せられた後、例えば３秒間隔を空けてエスカレーター本体１の運転が再起動されるまで何度も繰り返し発せられる。
【００１８】
なお、上記説明は、エスカレーター本体１の移動が上階から下階に移動しているときに、下階口２から乗客が逆進入しようとした場合を想定して、そのときのエスカレーターの動作説明をしたが、同様にエスカレーター本体１の移動が下階から上階に移動しているときに、上階口３から乗客が逆進入しようとした場合も、上記説明と同様の動作がなされるので、その説明は省略する。
【００１９】
このように、このエスカレーターでは、逆進入してくる乗客に対して、ゲート４ａ、４ｂが閉じるので、乗客の逆進入を防止することができる。
また、エスカレーター本体１の入口側のゲート４ａ、４ｂは、元々開放されたままになっており、通常通り進入してくる乗客に対しては、そのままエスカレーター本体１に乗り込むことが可能であり、利便性がよい。
また、テンキー装置７ａ、７ｂは、表示画面９が備わっており、乗客は、表示画面９のメッセージに基づいてエスカレーター本体１の運転状況に応じてテンキー１０の最適な番号を押すだけで、エスカレーター本体１よびゲート４ａ、４ｂを乗客が逆進入する前の通常の状態に簡単に復帰させることができるとともに、乗客は出口側に支障無く進むことができる。
【００２０】
なお、上記実施の形態では、エスカレーター本体１の移動が上階から下階、下階から上階にそれぞれ移動可能なエスカレーターについて説明したが、この発明は、エスカレーター本体の移動が一方向に定められているエスカレーターの場合には、エスカレーター本体の出口側のみにゲート、進入センサを設けるようにしてもよい。
また、テンキー装置は、表示画面、スピーカーが無くてもよい。
また、上記実施の形態では、乗客コンベアとしてエスカレーターについて説明したが、勿論このものに限定されるものではなく、乗客コンベアとして動く歩道についても適用することができる。
【図面の簡単な説明】
【００２１】
【図１】この発明の実施の形態１のエスカレーターの概略側面図である。
【図２】図１のＡ−Ａ線に沿って視たときの平面図である。
【図３】図１のゲートを示す斜視図である。
【図４】図１のゲートの別の使用態様を示す斜視図である。
【図５】図１のテンキー装置を示す斜視図である。
【図６】図１のエスカレーターのブロック図である。
【図７】図１のエスカレーターにおいてテンキーの「番号１」を押したときの使用態様を示す概略側面図である。
【図８】図７のエスカレーターのある時間経過後の使用態様を示す概略側面図である。
【図９】図８のエスカレーターのある時間経過後の使用態様を示す概略側面図である。
【図１０】図１のエスカレーターにおいてテンキーの「番号２」を押したときの使用態様を示す概略側面図である。
【図１１】図１０のエスカレーターのある時間経過後の使用態様を示す概略側面図である。
【図１２】図１のエスカレーターにおいてテンキーの「番号１」を押したときの使用態様を示す概略側面図である。
【図１３】図１２のエスカレーターのある時間経過後の使用態様を示す概略側面図である。
【図１４】図１３のエスカレーターのある時間経過後の使用態様を示す概略側面図である。
【図１５】図１のエスカレーターにおいてテンキーの「番号３」を押したときの使用態様を示す概略側面図である。
【図１６】図１５のエスカレーターのある時間経過後の使用態様を示す概略側面図である。
【図１７】図１６のエスカレーターのある時間経過後の使用態様を示す概略側面図である。
【図１８】図１のテンキー装置の表示画面に表示される表示内容を示す図である。
【図１９】図１のテンキー装置のスピーカーからの音声出力内容を示す図である。
【符号の説明】
【００２２】
１  エスカレーター本体、２  下階口、３  上階口、４ａ，４ｂ  ゲート、６ａ，６ｂ  進入センサ、７ａ，７ｂ  テンキー装置、１０  テンキー、１１  スピーカー、１２  制御手段。
【図１】
2005200204.tif 000003
【図２】
2005200204.tif 000004
【図３】
2005200204.tif 000005
【図４】
2005200204.tif 000006
【図５】
2005200204.tif 000007
【図６】
2005200204.tif 000008
【図７】
2005200204.tif 000009
【図８】
2005200204.tif 000010
【図９】
2005200204.tif 000011
【図１０】
2005200204.tif 000012
【図１１】
2005200204.tif 000013
【図１２】
2005200204.tif 000014
【図１３】
2005200204.tif 000015
【図１４】
2005200204.tif 000016
【図１５】
2005200204.tif 000017
【図１６】
2005200204.tif 000018
【図１７】
2005200204.tif 000019
【図１８】
2005200204.tif 000020
【図１９】
2005200204.tif 000021